(57)【要約】【課題】インターネット網に接続した遠隔制御装置とデータ中継装置においてデータ中継装置が故障した場合、通信経路を自動的に切り換える通信経路切換手段をデータ収集装置内に設けたことで電力消費機器の計測・制御・監視とエネルギー計測機器からのデータ収集を継続して行うことができる遠隔制御システムを提供する。【解決手段】インターネット網Ｃに接続する遠隔制御装置Ａと、複数台のデータ中継装置Ｂと、通信経路切換装置Ｉと通信データ切換手段１３から構成され複数台のデータ収集装置Ｄとを備えた遠隔制御システムであって、前記データ中継装置Ｂ２が故障し通信が異常な場合、通信経路切換装置ＩにおいてＮＯ接続することで他のデータ収集装置Ｄ１内の通信経路切換装置１３aのＮＣ接点に接続するため通信経路が確保できデータの送受信を継続できることを特徴とする遠隔制御システムＺ。【選択図】図１
2006118807.tif 000002
【特許請求の範囲】
【請求項１】
入力手段と表示手段とデータ保存手段とデータ演算手段と第１伝送手段と電力消費機器制御監視手段とエネルギー計測手段とを備えインターネット信号線を介してインターネット網に接続する遠隔制御装置と、ＩＰアドレス登録手段と中継用データ保存手段と第２伝送手段とを備えインターネット信号線を介してインターネット網に接続するデータ中継装置と、第３伝送手段とアドレス登録手段と通信経路切換装置とを備え複数台の電力消費機器の動作状態と複数台のエネルギー計測機器から計測されたエネルギーデータを前記データ中継装置に信号線を介して送受信するデータ収集装置とを備えた遠隔制御システムであって、通信が正常な場合、前記通信経路切換装置においてＮＣ接続することでデータ中継装置と他のデータ収集装置内の通信経路切換装置のＮＯ接点に接続し、データ中継装置が故障し通信が異常な場合、前記通信経路切換装置においてＮＯ接続することで他のデータ収集装置内の通信経路切換装置のＮＣ接点に接続することを特徴とする遠隔制御システム。
【請求項２】
通信経路切換手段は、遠隔制御装置Ａ内に構成され、第３伝送手段と前記データ中継装置内の第２伝送手段との通信が正常な場合、前記通信経路切換装置に接点切換ＮＣ信号を出力し通信経路切換装置内の接点をＮＯからＮＣに切り換え、データ中継装置が故障し通信が異常な場合、前記通信経路切換装置に接点切換ＮＯ信号を出力し通信経路切換装置内の接点をＮＣからＮＯに切り換えることを特徴とする、請求項１記載の遠隔制御システム。
【請求項３】
通信経路管理手段は、データ収集装置内Ｄに構成され、前記データ演算手段で演算された所定周期により前記入力手段で入力されたＩＰアドレスを持つ前記データ中継装置を経由し、前記入力手段で入力されたアドレスをもつ前記データ収集装置を指定し随時データの収集を行うことを特徴とする、請求項１あるいは２記載の遠隔制御システム。
【請求項４】
入力手段と表示手段とデータ保存手段とデータ演算手段と第１伝送手段と電力消費機器制御監視手段とエネルギー計測手段と通信データ管理手段を備えインターネット信号線を介してインターネット網に接続する遠隔制御装置と、ＩＰアドレス登録手段と中継用データ保存手段と第２伝送手段とを備えインターネット信号線を介してインターネット網に接続するデータ中継装置と、第３伝送手段と通信データ切換演算手段とアドレス登録手段とを備え複数台の電力消費機器の動作状態と複数台のエネルギー計測機器から計測されたエネルギーデータを前記データ中継装置に信号線を介して送受信するデータ収集装置とを備えた遠隔制御システムであって、データ中継装置が故障した場合、前記通信データ管理手段は、正常なデータ中継装置傘下の通信データ切換演算手段を親機とし異常となったデータ中継装置傘下の通信データ切換演算手段を子機として設定し子機側のデータを親機側の信号線を介して遠隔制御装置にデータを転送することを特徴とする遠隔制御システム。
【請求項５】
通信データ管理手段は、遠隔制御装置内Ａに構成され、複数のデータ収集装置における親機の決定において通信負荷の少ないデータ収集装置を親機に設定することを特徴とする、請求項４記載の遠隔制御システム。
【請求項６】
電力消費機器制御監視手段とエネルギー計測手段は、前記第1伝送手段と前記第２伝送手段と前記第３伝送手段との通信が正常な場合のみ複数台の電力消費機器の動作状態と複数台のエネルギー計測機器から計測されたエネルギーデータを送受信することを特徴とする、請求項１〜４のいずれかに記載の遠隔制御システム。
【請求項７】
表示手段は、データ中継装置が異常となった場合、当該データ中継装置の異常内容とＩＰアドレスと名称を表示し異常ランプの点灯および点滅とブザー音で警告するとともに、担当者に電子メールにて連絡することを特徴とする、請求項１〜６のいずれかに記載の遠隔制御システム。
【発明の詳細な説明】
【技術分野】
【０００１】
本発明は機器の遠隔制御システムに関するものである。
【背景技術】
【０００２】
従来、この種の遠隔制御システムでは、例えば図５に記載された空調管理システムがあった（例えば、特許文献１参照）。
【０００３】
図５において、各空気調和機１０４を運転制御し監視するビル中央監視盤１０１と、ビル中央監視盤１０１から出される制御指令と、各空気調和機１０４の運転状態を示す情報を中継する集中制御装置１０２とを備える空調管理システムであって、ビル中央監視盤１０１および中央制御装置１０２のそれぞれに各空気調和機１０４への制御情報を入力する入力手段１０５と、各空気調和機１０４からの運転状態情報を表示する表示手段１０６とを設け、更に集中制御装置１０２にはビル中央監視盤１０１および集中制御装置１０２何れかの入力手段１０５から入力される最新の指令を各空気調和機１０４へ送信するデータ中継装置１０３から構成されている。
【特許文献１】特開平６−２４１５４４号公報
【発明の開示】
【発明が解決しようとする課題】
【０００４】
しかしながら、上記従来の構成では、データ中継装置１０３Ｂが異常となった場合にデータ中継装置１０３Ｂ傘下の空気調和機１０４Ｂと中央監視盤１０１および集中制御装置１０２との送受信できず空気調和機１０４Ｂの遠隔地からの制御およびデータ収集ができないという課題を有していた。
【０００５】
本発明は、前記従来の課題を解決するもので、データ中継装置が故障し異常となった場合において通信経路を自動的に切り換える通信経路切換装置および通信経路切換手段をデータ収集装置内に設けたことでデータ中継装置が故障した場合、複数台の電力消費機器の動作状態と複数台のエネルギー計測機器から計測されたエネルギーデータを収集管理することができる遠隔制御システムである。
【課題を解決するための手段】
【０００６】
前記従来の課題を解決するために、本発明の遠隔制御システムは、入力手段と表示手段とデータ保存手段とデータ演算手段と第１伝送手段と電力消費機器制御監視手段とエネルギー計測手段とを備えインターネット信号線を介してインターネット網に接続する遠隔制御装置と、ＩＰアドレス登録手段と中継用データ保存手段と第２伝送手段とを備えインターネット信号線を介してインターネット網に接続するデータ中継装置と、第３伝送手段とアドレス登録手段と通信経路切換装置とを備え複数台の電力消費機器の動作状態と複数台のエネルギー計測機器から計測されたエネルギーデータを前記データ中継装置に信号線を介して送受信するデータ収集装置とを設けたものである。
【０００７】
これによって通信が正常な場合、通信経路切換装置においてＮＣ接続することでデータ中継装置と他のデータ収集装置内の通信経路切換装置のＮＯ接点に接続する。データ中継装置が故障し通信が異常な場合、通信経路切換装置においてＮＯ接続することで他のデータ収集装置内の通信経路切換装置のＮＣ接点に接続するためデータ中継装置が故障し異常となった場合でもデータの通信経路が確保できる。
【０００８】
また、本発明の遠隔制御システムは、遠隔制御装置Ａ内に通信経路切換手段を有し、第
３伝送手段とデータ中継装置内の第２伝送手段との通信が正常な場合、通信経路切換装置に接点切換ＮＣ信号を出力し通信経路切換装置内の接点をＮＯからＮＣに切り換え、データ中継装置が故障し通信が異常な場合、通信経路切換装置に接点切換ＮＯ信号を出力し通信経路切換装置内の接点をＮＣからＮＯに切り換えることができる。
【０００９】
これによって遠隔制御装置は、データ中継装置が故障した場合においても故障したデータ中継装置傘下のデータ収集装置からの複数台の電力消費機器の動作状態と複数台のエネルギー計測機器から計測されたエネルギーデータを通信速度を低下することなく継続して送受信できる。
【００１０】
また、本発明の遠隔制御システムは、データ収集装置Ｄ内に通信経路管理手段を有し、データ演算手段で演算された所定周期により入力手段で入力されたＩＰアドレスを持つデータ中継装置を経由し、入力手段で入力されたアドレスをもつデータ収集装置を指定し随時データの収集を行うことができる。
【００１１】
これにより、同一の通信経路から複数台の電力消費機器の動作状態と複数台のエネルギー計測機器から計測されたエネルギーデータの誤送受信を防止することができる。
【００１２】
また、本発明の遠隔制御システムは、入力手段と表示手段とデータ保存手段とデータ演算手段と第１伝送手段と電力消費機器制御監視手段とエネルギー計測手段と通信データ管理手段を備えインターネット信号線を介してインターネット網に接続する遠隔制御装置と、ＩＰアドレス登録手段と中継用データ保存手段と第２伝送手段とを備えインターネット信号線を介してインターネット網に接続するデータ中継装置と、第３伝送手段と通信データ切換演算手段とアドレス登録手段とを備え複数台の電力消費機器の動作状態と複数台のエネルギー計測機器から計測されたエネルギーデータを前記データ中継装置に信号線を介して送受信するデータ収集装置とを設けたものである。
【００１３】
これによってデータ中継装置が故障した場合、通信データ管理手段は、正常なデータ中継装置傘下の通信データ切換演算手段を親機とし異常となったデータ中継装置傘下の通信データ切換演算手段を子機として設定し子機側のデータを親機側の信号線を介して遠隔制御装置にデータを送受信するため複数台の電力消費機器の動作状態と複数台のエネルギー計測機器から計測されたエネルギーデータを低コストで送受信できる。
【００１４】
また、本発明の遠隔制御システムは、通信データ管理手段を有し、複数のデータ収集装置における親機の決定において通信負荷の少ないデータ収集装置を親機に設定する。
【００１５】
これにより、データ中継装置が故障した場合、複数台の電力消費機器の動作状態と複数台のエネルギー計測機器から計測されたエネルギーデータの送受信において通信負荷の平準化を行うことができる。
【００１６】
また、本発明の遠隔制御システムは、電力消費機器制御監視手段とエネルギー計測手段において、第1伝送手段と第２伝送手段と第３伝送手段との通信が正常な場合のみ複数台の電力消費機器の動作状態と複数台のエネルギー計測機器から計測されたエネルギーデータを送受信することができる。
【００１７】
これにより、データ中継装置が故障した場合でも正確に通信データを送受信できる。
【００１８】
また、本発明の遠隔制御システムは、表示手段を有し、データ中継装置が故障となった場合、当該データ中継装置の異常内容とＩＰアドレスと名称を表示し異常ランプの点灯および点滅とブザー音で警告するとともに、担当者に電子メールにて連絡することができる
。
【００１９】
これにより、迅速に修理を行うことができる。
【発明の効果】
【００２０】
本発明の遠隔制御システムは、通信経路を自動的に切り換える通信経路切換手段と通信経路切換装置をデータ収集装置内に設けたことによりデータ中継装置が故障した場合でも、電力消費機器の計測、制御、監視とエネルギー計測機器からのエネルギーデータの送受信を継続して行うことができる。
【発明を実施するための最良の形態】
【００２１】
第１の発明は、入力手段と表示手段とデータ保存手段とデータ演算手段と第１伝送手段と電力消費機器制御監視手段とエネルギー計測手段とを備えインターネット信号線を介してインターネット網に接続する遠隔制御装置と、ＩＰアドレス登録手段と中継用データ保存手段と第２伝送手段とを備えインターネット信号線を介してインターネット網に接続するデータ中継装置と、第３伝送手段とアドレス登録手段と通信経路切換装置とを備え複数台の電力消費機器の動作状態と複数台のエネルギー計測機器から計測されたエネルギーデータを前記データ中継装置に信号線を介して送受信するデータ収集装置とを備えることにより通信が正常な場合、通信経路切換装置においてＮＣ接続することでデータ中継装置と他のデータ収集装置内の通信経路切換装置のＮＯ接点に接続する。
【００２２】
データ中継装置が故障し通信が異常な場合、通信経路切換装置においてＮＯ接続することで他のデータ収集装置内の通信経路切換装置のＮＣ接点に接続するためデータ中継装置が故障し異常となった場合でもデータの通信経路が確保できる。
【００２３】
第２の発明は、特に第1の発明の遠隔制御システムは遠隔制御装置内に通信経路切換手段を備えることにより、第３伝送手段とデータ中継装置内の第２伝送手段との通信が正常な場合、通信経路切換装置に接点切換ＮＣ信号を出力し通信経路切換装置内の接点をＮＯからＮＣに切り換え、データ中継装置が故障し通信が異常な場合、通信経路切換装置に接点切換ＮＯ信号を出力し通信経路切換装置内の接点をＮＣからＮＯに切り換えることができ、遠隔制御装置は、データ中継装置が故障した場合においても故障したデータ中継装置傘下のデータ収集装置からの複数台の電力消費機器の動作状態と複数台のエネルギー計測機器から計測されたエネルギーデータを通信速度を低下することなく継続して送受信できる。
【００２４】
第３の発明は、特に第１の発明および第２の発明の遠隔制御システムは、データ収集装置内に通信経路管理手段を備えることにより、データ演算手段で演算された所定周期により入力手段で入力されたＩＰアドレスを持つデータ中継装置を経由し、入力手段で入力されたアドレスをもつデータ収集装置を指定し随時データの収集を行うことができ、同一の通信経路から複数台の電力消費機器の動作状態と複数台のエネルギー計測機器から計測されたエネルギーデータの誤送受信を防止することができる。
【００２５】
第４の発明は、入力手段と表示手段とデータ保存手段とデータ演算手段と第１伝送手段と電力消費機器制御監視手段とエネルギー計測手段と通信データ管理手段とを備えインターネット信号線を介してインターネット網に接続する遠隔制御装置と、ＩＰアドレス登録手段と中継用データ保存手段と第２伝送手段とを備えインターネット信号線を介してインターネット網に接続するデータ中継装置と、第３伝送手段と通信データ切換演算手段とアドレス登録手段とを備え複数台の電力消費機器の動作状態と複数台のエネルギー計測機器から計測されたエネルギーデータを前記データ中継装置に信号線を介して送受信するデータ収集装置とを備えることによりデータ中継装置が故障した場合、通信データ管理手段は
、正常なデータ中継装置傘下の通信データ切換演算手段を親機とし異常となったデータ中継装置傘下の通信データ切換演算手段を子機として設定し子機側のデータを親機側の信号線を介して遠隔制御装置にデータを送受信するため複数台の電力消費機器の動作状態と複数台のエネルギー計測機器から計測されたエネルギーデータを低コストで送受信できる。
【００２６】
第５の発明は、特に第４の発明の遠隔制御システムは、通信データ管理手段を備えることにより、複数のデータ収集装置における親機の決定において通信負荷の少ないデータ収集装置を親機に設定し、データ中継装置が故障した場合、複数台の電力消費機器の動作状態と複数台のエネルギー計測機器から計測されたエネルギーデータの送受信において通信負荷の平準化を行うことができる。
【００２７】
第６の発明は、特に第１から４の発明の遠隔制御システムは、電力消費機器制御監視手段とエネルギー計測手段を備えることにより、第1伝送手段と第２伝送手段と第３伝送手段との通信が正常な場合のみ複数台の電力消費機器の動作状態と複数台のエネルギー計測機器から計測されたエネルギーデータを送受信することができ、データ中継装置が故障した場合でも正確に通信データを送受信できる。
【００２８】
第７の発明は、特に第１から６の発明の遠隔制御システムは、表示手段を備えることにより、データ中継装置が故障となった場合、当該データ中継装置の異常内容とＩＰアドレスと名称を表示し異常ランプの点灯および点滅とブザー音で警告するとともに、担当者に電子メールにて連絡することができ、迅速に修理を行うことができる。
【００２９】
以下、本発明の実施の形態について、図面を参照しながら説明する。なお、この実施の形態によって本発明が限定されるものではない。
【００３０】
（実施の形態１）
図１は、本発明の第１の実施の形態における遠隔制御システムのブロック図を示すものである。
【００３１】
図１において、遠隔制御システムＺは、入力手段１と表示手段２とデータ保存手段３とデータ演算手段４と第１伝送手段５と電力消費機器制御監視手段６とエネルギー計測手段７とから構成されインターネット信号線Ｇを介してインターネット網Ｃに接続する遠隔制御装置Ａと、ＩＰアドレス登録手段９と中継用データ保存手段１０と第２伝送手段１１とから構成されインターネット信号線Ｇを介してインターネット網Ｃに接続する複数台のデータ中継装置Ｂと、第３伝送手段１２とアドレス登録手段１４と通信経路切換装置Ｉとから構成され複数台の電力消費機器Ｅの動作状態と複数台のエネルギー計測機器Ｆから計測されたエネルギーデータをデータ中継装置Ｂに信号線Ｈを介して送受信する複数台のデータ収集装置Ｄとから構成される。
【００３２】
以上のように構成された遠隔制御システムにおいて、以下その動作、作用を説明する。
【００３３】
まず、データ中継装置Ｂが正常に動作し通信が正常な場合、通信経路切換装置ＩにおいてＮＣ接続することでデータ中継装置Ｂと他のデータ収集装置Ｄ内の通信経路切換装置ＩのＮＯ接点に接続し、複数台の電力消費機器Ｅ１〜Ｅｎが接続されている建家の管理者は、キー入力もしくはマウス入力可能な入力手段１と表示手段２により電力消費機器Ｅ１〜Ｅｎの複数の設定情報とエネルギー計測機器Ｆ１〜Ｆｎの設定情報を入力しデータ保存手段３に登録する（例：名称、データ中継装置のＩＰアドレス番号、データ収集装置のアドレス番号、機器の消費電力量、エネルギー種類など）。
【００３４】
次に登録された電力消費機器Ｅ１〜Ｅｎとエネルギー計測機器Ｆ１〜Ｆｎの設定情報は
、同時にインターネット通信線Ｇを経由しデータ中継装置Ｂ内の中継用データ保存手段１０に保存される。
【００３５】
データ演算手段４は、データ保存手段３に保存された電力消費機器Ｈ１〜Ｈｎとエネルギー計測機器Ｆ１〜Ｆｎの設定情報をもとに電力消費機器Ｈ１〜Ｈｎを制御しエネルギー計測機器Ｆ１〜Ｆｎを用いエネルギー量を計測する。
【００３６】
計測されたエネルギー量は前記データ保存手段３と前記中継用データ保存手段１０に保存され、結果を表示手段２に表示する。
【００３７】
次にデータ中継装置Ｂが故障し通信が異常な場合、通信経路切換装置ＩにおいてＮＯ接続することで他のデータ収集装置Ｄ内の通信経路切換装置ＩのＮＣ接点に接続するためデータ中継装置Ｂが故障し異常となった場合でもデータの通信経路が確保できる。
【００３８】
なお、本実施の形態において、データ中継装置Ｂと複数のデータ収集装置Ｄは導電性のある信号線Ｈにて接続されているが、無線方式のデータ送受信手段を構成しても良い。
【００３９】
（実施の形態２）
図２は、本発明の実施の形態２における遠隔制御装置のブロック図である。同図において、図１と同じ構成要素については同じ符号を用い説明を省略する。
【００４０】
図２において、遠隔制御システムＺは、データ収集装置Ｄ内に通信経路切換手段１３とから構成される。
【００４１】
以上のように構成された遠隔制御システムにおいて、以下その動作、作用を説明する。
【００４２】
まず、第３伝送手段１２とデータ中継装置Ｂ内の第２伝送手段１１との通信が正常な場合、通信経路切換装置Ｉに接点切換ＮＣ信号を出力し通信経路切換装置Ｉ内の接点をＮＯからＮＣに切り換え、データ中継装置Ｂが故障し通信が異常な場合、通信経路切換装置Ｉに接点切換ＮＯ信号を出力し通信経路切換装置Ｉ内の接点をＮＣからＮＯに切り換える指令を行う。
【００４３】
以上のように本実施の形態における遠隔制御システムは、遠隔制御装置Ａにおいて、データ中継装置Ｂが故障した場合でも故障したデータ中継装置Ｂ傘下のデータ収集装置Ｄからの複数台の電力消費機器Ｅの動作状態と複数台のエネルギー計測機器Ｆから計測されたエネルギーデータを通信速度を低下することなく継続して送受信できる。
【００４４】
（実施の形態３）
図３は、本発明の実施の形態３における遠隔制御装置のブロック図である。同図において、図１と同じ構成要素については同じ符号を用い説明を省略する。
図３において、遠隔制御システムＺは、遠隔制御装置Ａ内に通信経路管理手段８とから構成される。
【００４５】
以上のように構成された遠隔制御システムにおいて、以下その動作、作用を説明する。
【００４６】
まず、データ演算手段４で演算された所定周期により入力手段１で入力されたＩＰアドレスを持つデータ中継装置Ｂを経由し、入力手段１で入力されたアドレスをもつデータ収集装置Ｄを指定し随時データの収集を行う。
【００４７】
具体的には、正常運転時はデータ中継装置Ｂ１、データ収集装置Ｄ１の組み合わせとデ
ータ中継装置Ｂ２、データ収集装置Ｄ２となり通信経路管理手段８から指示される送受信の所定周期はデータ中継装置Ｂ１、Ｂ２、Ｂ３・・・Ｂｎとなる。
【００４８】
データ中継装置Ｂ２が故障した場合の応急運転時は、データ中継装置Ｂ１、データ収集装置Ｄ１とデータ中継装置Ｂ１、データ収集装置Ｄ２の組み合わせとなり、データ収集装置Ｄ２のデータはデータ収集装置Ｄ１を経由し送受信する。
【００４９】
このとき通信経路管理手段８から指示される送受信の所定周期はデータ中継装置Ｂ１、Ｂ１、Ｂ３・・・Ｂｎとなる。以降この動作を繰り返す。
【００５０】
以上のように本実施の形態における遠隔制御システムは、同一の通信経路から複数台の電力消費機器Ｅの動作状態と複数台のエネルギー計測機器Ｆから計測されたエネルギーデータの誤送受信を防止することができる。
【００５１】
（実施の形態４）
図４は、本発明の実施の形態４における遠隔制御システムのブロック図である。  図４において、遠隔制御システムＺは、入力手段１と表示手段２とデータ保存手段３とデータ演算手段４と第１伝送手段５と電力消費機器制御監視手段６とエネルギー計測手段７と通信データ管理手段１６から構成されインターネット信号線Ｇを介してインターネット網Ｃに接続する遠隔制御装置Ａと、ＩＰアドレス登録手段９と中継用データ保存手段１０と第２伝送手段１１とから構成されインターネット信号線Ｇを介してインターネット網Ｃに接続する複数台のデータ中継装置Ｂと、第３伝送手段１２と通信データ切換演算手段１５とアドレス登録手段１４とから構成され複数台の電力消費機器Ｅの動作状態と複数台のエネルギー計測機器Ｆから計測されたエネルギーデータをデータ中継装置Ｂに信号線Ｈを介して送受信する複数台のデータ収集装置Ｄとから構成される。
【００５２】
以上のように構成された遠隔制御システムにおいて、以下その動作、作用を説明する。
【００５３】
まず、データ中継装置Ｂが故障した場合、通信データ管理手段１６は、正常なデータ中継装置Ｂ１傘下の通信データ切換演算手段１５aを親機とし異常となったデータ中継装置Ｂ２傘下の通信データ切換演算手段１５ｂを子機として設定し子機側のデータを親機側の信号線Ｈを介して遠隔制御装置Ａにデータを送受信する。
【００５４】
以上のように本実施の形態における遠隔制御システムは、複数台の電力消費機器Ｅの動作状態と複数台のエネルギー計測機器Ｆから計測されたエネルギーデータをソフトウェアにて通信経路を切り換えることで低コストでデータの送受信ができる。
【００５５】
（実施の形態５）
図４において、通信データ管理手段１６は複数のデータ収集装置Ｄにおける親機の決定において通信負荷の少ないデータ収集装置Ｄを親機に設定する。
以上のように本実施の形態における遠隔制御システムは、データ中継装置Ｂが故障した場合、複数台の電力消費機器Ｅの動作状態と複数台のエネルギー計測機器Ｆから計測されたエネルギーデータの送受信時、通信負荷の平準化を行うことができる。
【００５６】
なお、親機の設定において、データ収集装置のアドレスの昇順もしくは降順の先頭もしくは隣接するアドレスを指定しても良い。
【００５７】
（実施の形態６）
図１から図４において、電力消費機器制御監視手段６とエネルギー計測手段７は、第1伝送手段５と第２伝送手段１１と第３伝送手段１２との通信が正常な場合のみ複数台の電
力消費機器Ｅの動作状態と複数台のエネルギー計測機器Ｆから計測されたエネルギーデータを送受信する。
【００５８】
以上のように本実施の形態における遠隔制御システムは、データ中継装置Ｂが故障した場合でも正確に通信データを送受信できる。
【００５９】
（実施の形態７）
図１から図４において、表示手段２は、データ中継装置Ｂが故障となった場合、当該データ中継装置Ｂの異常内容とＩＰアドレスと名称を表示し異常ランプの点灯および点滅とブザー音で警告するとともに担当者に電子メールにて連絡することができる。
【００６０】
以上のように本実施の形態における遠隔制御システムは、データ中継装置Ｂが故障した場合、迅速に修理を行うことができる。
【産業上の利用可能性】
【００６１】
以上のように、本発明の遠隔制御システムは、遠隔地からインターネット網を利用し異なる建家の複数台の電力消費機器の動作状態と複数台のエネルギー計測機器から計測されたエネルギーデータを計測表示する。このときインターネット網と接続するデータ中継装置が故障した場合、通信経路を自動的に切り換えデータの送受信を継続できるため、機器の修理までの運用上の不備を補うことができる。
【図面の簡単な説明】
【００６２】
【図１】本発明の実施の形態１における遠隔制御システムのブロック図
【図２】本発明の実施の形態２における遠隔制御システムのブロック図
【図３】本発明の実施の形態３における遠隔制御システムのブロック図
【図４】本発明の実施の形態４における遠隔制御システムのブロック図
【図５】従来の遠隔制御システムのブロック図
【符号の説明】
【００６３】
Ａ  遠隔制御装置
Ｂ  データ中継装置
Ｃ  インターネット網
Ｄ  データ収集装置
Ｅ  電力消費機器
Ｆ  エネルギー計測機器
Ｇ  インターネット信号線
Ｈ  信号線
Ｉ  通信経路切換装置
Ｚ  遠隔制御システム
１  入力手段
２  表示手段
３  データ保存手段
４  データ演算手段
５  第1伝送手段
６  電力消費機器制御監視手段
７  エネルギー計測手段
８  通信経路管理手段
９  ＩＰアドレス登録手段
１０  中継用データ保存手段
１１  第２伝送手段
１２  第３伝送手段
１３  通信経路切換手段
１４  アドレス登録手段
１５  通信データ切換演算手段
１６  通信データ管理手段
【図１】
2006118807.tif 000003
【図２】
2006118807.tif 000004
【図３】
2006118807.tif 000005
【図４】
2006118807.tif 000006
【図５】
2006118807.tif 000007